(57)【要約】【課題】建物内の複数箇所において温調気体を用いる種々の用途の端末機器を選択的に連通接続して簡単に温調気体を供給することができる。端末機器を使用しない場合は取外すことで邪魔にならない。【解決手段】気体の温度を調整して供給する温調気体供給装置１と、建物Ａの複数箇所に設けた弁２を有する給気用接続口部３と、複数の給気用接続口部３に温調気体供給装置１から供給される温調気体を送るための給気用配管４と、給気用接続口部３に着脱自在に連通接続することができる被接続口部５を有した端末機器６とを備える。被接続口部５を給気用接続口部３に連通接続すると共に弁２を開にすることで給気用接続口部３から端末機器６に温調気体を供給する。【選択図】図１
2007225200.tif 000002
【特許請求の範囲】
【請求項１】
気体の温度を調整して供給する温調気体供給装置と、建物の複数箇所に設けた弁を有する給気用接続口部と、複数の給気用接続口部に温調気体供給装置から供給される温調気体を送るための給気用配管と、給気用接続口部に着脱自在に連通接続することができる被接続口部を有した端末機器とを備え、被接続口部を給気用接続口部に連通接続すると共に弁を開にすることで給気用接続口部から端末機器に温調気体を供給して成ることを特徴とする温調気体配送システム。
【請求項２】
端末機器に温調気体の供給のオン、オフ又は流量調整を行なうための供給調整手段を設けて成ることを特徴とする請求項１記載の温調気体配送システム。
【発明の詳細な説明】
【技術分野】
【０００１】
本発明は、温調気体配送システムに関するものである。
【背景技術】
【０００２】
従来から気体の温度を調整して供給する温調気体供給装置で生成された暖気や冷気を複数箇所に配置した空気吐出入ユニットに配管により連通接続し、複数の空気吐出入ユニットから同時に又は選択的に温調気体である暖気や冷気を対象空調空間に放出して暖房又は冷房するものが特許文献１により知られている。
【０００３】
上記特許文献１に示された従来例は、空気吐出入ユニットは配管に固定的に連通接続してあり、空気吐出入ユニットを使用しない場合でも部屋の壁や天井に固定的に取付けられたままであり、このような場合は邪魔になるだけであった。また、上記従来例においては、空気吐出入ユニットは部屋の冷暖房用専用のものであり、温調気体を他の用途に利用することはできなかった。
【特許文献１】特開平９−１３７９７３号公報
【発明の開示】
【発明が解決しようとする課題】
【０００４】
本発明は上記の従来の問題点に鑑みて発明したものであって、建物内の複数箇所において温調気体を用いる種々の用途の端末機器に対して簡単に温調気体を供給することができ、また、端末機器を使用しない場合には邪魔にならないように取外すことができる温調気体配送システムを提供することを課題とするものである。
【課題を解決するための手段】
【０００５】
上記課題を解決するために本発明に係る温調気体配送システムは、気体の温度を調整して供給する温調気体供給装置１と、建物Ａの複数箇所に設けた弁２を有する給気用接続口部３と、複数の給気用接続口部３に温調気体供給装置１から供給される温調気体を送るための給気用配管４と、給気用接続口部３に着脱自在に連通接続することができる被接続口部５を有した端末機器６とを備え、被接続口部５を給気用接続口部３に連通接続すると共に弁２を開にすることで給気用接続口部３から端末機器６に温調気体を供給して成ることを特徴とするものである。
【０００６】
このような構成とすることで、建物Ａ内の複数箇所に設けた給気用接続口部３に種々の用途の端末機器６を接続することで、様々な用途の端末機器６に温調気体を供給することができ、また、複数箇所に設けた給気用接続口部３を選択してある用途の端末機器６を接続することで、ある用途の端末機器６を建物Ａ内の複数箇所のいずれかに選択的に設置して温調気体を供給するようにでき、更に、端末機器６を使用しない場合は取外すことで端末機器６が邪魔にならないようにできると共に、他の用途の端末機器６と簡単に交換することもできる。
【０００７】
また、端末機器６に温調気体の供給のオン、オフ又は流量調整を行なうための供給調整手段７を設けることが好ましい。
【０００８】
このような構成とすることで、端末機器６側の供給調整手段７を調整するだけで、温調気体の供給のオン、オフや、流量調整が簡単にできる。
【発明の効果】
【０００９】
本発明は、建物内の複数箇所において温調気体を用いる種々の用途の端末機器を選択的に連通接続して簡単に温調気体を供給することができ、また、端末機器を使用しない場合は取外すことで邪魔にならないようにできる。
【発明を実施するための最良の形態】
【００１０】
以下、本発明を添付図面に示す実施形態に基いて説明する。
【００１１】
建物Ａ外又は建物Ａ内に、空気を加熱して暖気としたり、空気を冷却して冷気としたりするためのエアコンのような温調気体供給装置１が設置してあり、また、建物内の複数箇所に弁２を有する給気用接続口部３が設けてあり、上記温調気体供給装置１と複数箇所に設けた各給気用接続口部３とがそれぞれ給気用配管４により連通接続してあって、温調気体供給装置１から供給される温調気体を給気用配管４を介して各給気用接続口部３に送るようになっている。
【００１２】
端末機器６は温調空気の供給により暖気や冷気を噴出して種々の用途に用いるための機器であり、端末機器６としては、例えば任意の部屋に設置されて暖気や冷気を部屋内に噴出すことでその部屋の暖房や冷房をするための冷暖房用端末機器６ａ、あるいは、熱媒として内部を暖気が流れることで床面を暖房する暖房床６ｂ、内部に空所を設けると共に表面に多数の吹出し孔を設けて暖気を吹出すようにした暖房カーペット６ｃ、温風を吹出して毛髪等の乾燥や整髪をするためのドライヤ６ｄ、温かい空気を水槽の水中内に供給するようにした熱帯魚水槽６ｅ、冷気の供給により庫内を冷やす冷蔵庫６ｆ、冷気によりＣＰＵを冷却するようにしたパソコン６ｇ等を挙げることができるが、もちろんこれにのみ限定されるものではない。
【００１３】
これらの端末機器６には先端部が被接続口部５となったフレキシブルなホース９が連出してあり、フレキシブルなホース９の先端部の被接続口部５を上記建物内の複数箇所に設けた給気用接続口部３に着脱自在に連通接続できるようになっており、被接続口部５を任意の給気用接続口部３に着脱自在に連通接続し、温調気体供給装置１を運転すると共に弁２を開にすることで、温調気体供給装置１で生成された暖気や冷気がホース９を介して端末機器６に供給されるようになっている。端末機器６には端末側弁１０が設けてあり、ホース９から供給された気体は端末側弁１０を開にした場合に端末機器６に流れ、閉にした場合は気体は流れないように構成してある。
【００１４】
図１には温調気体供給装置１で暖気を供給する場合に、建物Ａの複数箇所に設けた給気用接続口部３に暖気を用いる端末機器６を接続した例を示している。
【００１５】
また、図２には温調気体供給装置１で冷気を供給する場合に、建物Ａの複数箇所に設けた給気用接続口部３に冷気を用いる端末機器６を接続した例を示している。
【００１６】
ここで、給気用接続口部３に設けた弁２は手動で開閉してもよいが、端末機器６から連出したホース９先端に設けた被接続口部５を給気用接続口部３に接続すると自動的に弁２が開となり且つ被接続口部５を給気用接続口部３から脱離すると自動的に弁２が閉となるようにしてもよく、この接続と同時に弁２を自動的に開とし且つ脱離と同時に弁２を自動的に閉とする技術としては、例えば、ガスや水等の流体の技術分野において従来から公知の弁を開閉する機能を有する流体接続具の技術を用いることができる。
【００１７】
また、端末機器６には供給調整手段７を構成する操作部が設けてあり、機器運転オン、オフ用の操作部、温調気体の供給量の調整用の操作部が設けてある。
【００１８】
供給調整手段７に設けた機器運転オン、オフ用の操作部を操作して機器運転をオンとなるように操作すると、端末機器６に設けた端末側制御部１１により端末側弁１０が開となるように制御されると共に、有線又は無線で温調気体供給装置１に設けた装置側制御部１３に運転指令が送信され、温調気体供給装置１を運転して空気を温調気体（暖気又は冷気）として、温調気体供給装置１から給気用配管４、該当する給気用接続口部３、被接続口部５、ホース９を介して該当する端末機器６に供給するようになっている。また、端末機器６の供給調整手段７に設けた機器運転オン、オフ用の操作部を操作して機器運転をオフとなるように操作すると、端末側弁１０が閉となるように制御され、この場合、他の端末機器６からの温調気体供給装置１に対する運転指令が送信されている場合は、温調気体供給装置１の運転は継続されるが、他の端末機器６からの温調気体供給装置１に対する運転指令が送信されていない場合は、温調気体供給装置１の運転が停止されるように装置側制御部１３により制御される。また、供給量の調整用の操作部を操作することで、端末側弁１０の開放量を調整して温調気体の端末機器６への供給量を調整することができる。
【００１９】
なお、供給調整手段７に更に温調気体の温度調整用の操作部等を設けてもよく、該温度調整用の操作部を操作することで、温調気体供給装置１によって温調される温調空気（暖気又は冷気）の温度を調整することもできる。
【００２０】
端末機器６から温調気体供給装置１に無線で運転指令や運転停止指令を送信する場合は、端末機器６に送信機を設けると共に温調気体供給装置１に送信機からの信号を受信する受信機を設ける。
【００２１】
また、端末機器６から温調気体供給装置１に有線で運転指令や運転停止指令を送信する場合は、図３に示すように、ホース９と一体にホース９に沿って情報線１２が設けてあり、該情報線１２は一端部を端末機器６の端末側制御部１１に接続し、他端部が被接続口部５に設けた端末側コネクタ１４に接続し、また、各給気用接続口部３にコネクタ１５を設け、各給気用接続口部３のコネクタ１５と、温調気体供給装置１に設けた装置側制御部１３とを情報線１６により接続し、被接続口部５を給気用接続口部３に接続して流路を連通させた場合、同時に端末側コネクタ１４がコネクタ１５に接続されるように構成する。これにより端末機器６から温調気体供給装置１に有線で運転指令や運転停止指令を送信することができる。
【００２２】
ところで、上記のように建物内に複数設けた給気用接続口部３のうち任意の給気用接続口部３にその場所で必要とされる端末機器６の被接続口部５を着脱自在に接続して温調気体供給装置１から供給される温調気体（温風又は冷風）を該当する端末機器６に送って、端末機器６を設置した場所で送られる温調気体を種々の用途に使用するのであるが、その場所で端末機器６を使用しない場合は該当する場所にある給気用接続口部３から被接続口部５を取外すことで、使用しない端末機器６を他の場所に移動して他の場所にある給気用接続口部３に接続したり、あるいは、次回の使用まで邪魔にならないように倉庫などに収納することができる。また、他の用途の端末機器６と簡単に交換することもできる。
【００２３】
なお、建物内の複数箇所に設ける給気用接続口部３としては、端末機器６の被接続口部５を１つだけ着脱自在に連通接続できるようになったものだけにのみ限定されず、１箇所に複数の給気用接続口部３を並設して１箇所で複数の端末機器６の被接続口部５を着脱自在に連通接続できるようにしてもよい。
【図面の簡単な説明】
【００２４】
【図１】本発明の一実施形態の概略構成図である。
【図２】同上の他の実施形態の概略構成図である。
【図３】同上の端末機器から温調気体供給装置に有線で運転指令や運転停止指令を送信する場合一例を示す概略構成図である。
【符号の説明】
【００２５】
Ａ  建物
１  温調気体供給装置
２  弁
３  給気用接続口部
４  給気用配管
５  被接続口部
６  端末機器
７  供給調整手段
【図１】
2007225200.tif 000003
【図２】
2007225200.tif 000004
【図３】
2007225200.tif 000005